(57)【特許請求の範囲】
【請求項１】
複数の受信源に対してデータの配信を行う無線制御装置であって、
当該無線制御装置にユーザ共通データが配信されたことにより、該ユーザ共通データが、予め規定されたタイミングで発生するイベント、突発的なタイミングで１回発生するイベント、突発的なタイミングで発生するイベント、ランダムなタイミングで発生するイベントのうち、いずれか１つに該当するかを認識するイベント発生認識部と、
前記イベント発生認識部により該当することが認識されたことをトリガーとして、即時に前記ユーザ共通データを配信するデータ伝送部と
を備えることを特徴とする無線制御装置。
【請求項２】
請求項１に記載の無線制御装置において、
前記イベント発生認識部は、イベント発生が通知されたこと、ユーザ共通データに付加された情報を検出すること及びユーザ共通データを解析することの少なくとも１つに基づいて、いずれかのイベントに該当するかを認識することを特徴とする無線制御装置。
【請求項３】
請求項１又は２に記載の無線制御装置において、
前記イベント発生認識部により認識されたイベントのサービス対象とすべきエリアに基づいて、マルチキャスト配信すべきエリア又はブロードキャスト配信すべきエリアを設定するエリア設定部と、
該エリア設定部により設定された配信すべきエリアに基づいて、前記ユーザ共通データを配信するための伝送路を設定する伝送路設定部と
を有し、
前記データ伝送部は、前記伝送路設定部により設定された伝送路により、即時に前記ユーザ共通データを配信することを特徴とする無線制御装置。
【請求項４】
１つの情報源から複数の受信源に対してデータの配信を行うデータ配信方法であって、
配信されたユーザ共通データを一時的に格納するコンテンツ格納ステップと、
前記ユーザ共通データが配信されたことにより、該ユーザ共通データが、予め規定されたタイミングで発生するイベント、突発的なタイミングで１回発生するイベント、突発的なタイミングで発生するイベント、ランダムなタイミングで発生するイベントのうち、いずれか１つに該当するかを認識するイベント発生認識ステップと、
前記イベント発生認識ステップにより該当することが認識されたことをトリガーとして、即時に前記ユーザ共通データを配信するデータ伝送ステップと
を有することを特徴とするデータ配信方法。
【請求項５】
請求項４に記載のデータ配信方法において、
前記イベント発生認識ステップは、イベント発生が通知されたこと、ユーザ共通データに付加された情報を検出すること及びユーザ共通データを解析することの少なくとも１つに基づいて、いずれかのイベントに該当するかを認識することを特徴とするデータ配信方法。
【請求項６】
請求項４又は５に記載のデータ配信方法において、
前記イベント発生認識ステップにより認識されたイベントのサービス対象とすべきエリアを検出するサービス対象エリア検出ステップと、
該サービス対象エリア検出ステップにより検出されたエリアに基づいて、マルチキャスト配信すべきエリア又はブロードキャスト配信すべきエリアを設定するエリア設定ステップと、
該エリア設定ステップにより設定された配信すべきエリアに基づいて、前記ユーザ共通データを配信するための伝送路を設定する伝送路設定ステップと
を有し、
前記データ伝送ステップは、前記伝送路設定ステップにより設定された伝送路により、即時に前記ユーザ共通データを配信することを特徴とするデータ配信方法。
【発明の詳細な説明】
【技術分野】
【０００１】
本発明は、ユーザ共通データの提供方法に関し、特に、イベントの発生をトリガーとしてユーザ共通データを提供する無線制御装置およびデータ配信方法に関する。
【背景技術】
【０００２】
通信トラヒックが少ない場合、又は特定の時間帯に、情報の種類に応じてブロードキャストサービスを行なう移動通信システムが開示されている。
【０００３】
この移動通信システムによれば、通信トラヒックを測定し、通信トラヒックが所定の閾値を超えていない場合に伝送する。また、所定の時刻を設定し、この所定の時刻に格納されているデータを伝送する（例えば、特許文献１参照）。
【特許文献１】特開２００２−３１４４８５号公報
【発明の開示】
【発明が解決しようとする課題】
【０００４】
しかしながら、上述した背景技術には以下の問題がある。
【０００５】
上述した移動通信システムでは、サーバに格納されているデータが、通信トラヒックが少ない場合または特定の時間帯に伝送される。サービスの種類によっては、即時性が高く要求されるものがあるが、この移動通信システムでは、即時性に応じてデータを提供することができない問題がある。
【０００６】
また、即時性の高いデータは、個々に回線を接続する可能性が高い。このため、無線回線が無駄に使用されることが懸念される。
【０００７】
そこで、本発明の目的は、イベントが発生したことをトリガーとして即時性の高いデータ配信を行う無線制御装置およびデータ配信方法を提供することにある。
【課題を解決するための手段】
【０００８】
本無線制御装置は、
複数の受信源に対してデータの配信を行う無線制御装置であって、
当該無線制御装置にユーザ共通データが配信されたことにより、該ユーザ共通データが、予め規定されたタイミングで発生するイベント、突発的なタイミングで１回発生するイベント、突発的なタイミングで発生するイベント、ランダムなタイミングで発生するイベントのうち、いずれか１つに該当するかを認識するイベント発生認識部と、
前記イベント発生認識部により該当することが認識されたことをトリガーとして、即時に前記ユーザ共通データを配信するデータ伝送部と
を備える。
【０００９】
このように構成することにより、イベントが発生したことをトリガーとして即時性の高いデータ配信を行うことができる。
【００１０】
本データ配信方法は、
１つの情報源から複数の受信源に対してデータの配信を行うデータ配信方法であって、
配信されたユーザ共通データを一時的に格納するコンテンツ格納ステップと、
前記ユーザ共通データが配信されたことにより、該ユーザ共通データが、予め規定されたタイミングで発生するイベント、突発的なタイミングで１回発生するイベント、突発的なタイミングで発生するイベント、ランダムなタイミングで発生するイベントのうち、いずれか１つに該当するかを認識するイベント発生認識ステップと、
前記イベント発生認識ステップにより該当することが認識されたことをトリガーとして、即時に前記ユーザ共通データを配信するデータ伝送ステップと
を有する。
【００１１】
このようにすることにより、イベントが発生したことをトリガーとして即時性の高いデータ配信を行うことができる。
【発明の効果】
【００１２】
本発明の実施例によれば、イベントが発生したことをトリガーとして即時性の高いデータ配信を行う無線制御装置およびデータ配信方法を実現できる。
【発明を実施するための最良の形態】
【００１３】
次に、本発明の実施例について図面を参照して説明する。
なお、実施例を説明するための全図において、同一機能を有するものは同一符号を用い、繰り返しの説明は省略する。
【００１４】
本発明の実施例にかかる無線通信システムについて図１を参照して説明する。
【００１５】
本実施例にかかる無線通信システムは、コアネットワーク(CN: Core Network)５０内に置かれた情報発信源、例えばブロードキャスト／マルチキャスト  サービス  センタ(BM-SC: Broadcast/Multicast Service Center)３００（以下、ＢＭ−ＳＣと呼ぶ）と、コアネットワーク５０と接続された無線基地局(Node B)２００（２００１、２００２、２００３）と、コアネットワーク５０、無線基地局２００を介して、マルチキャスト  ブロードキャスト  マルチキャスト  サービス(MBMS: Multicast Broadcast Multicast Service)コンテンツを受信する複数の受信源、例えば移動局(UE: User Equipment)１００（１００１、１００２、１００３、１００４、１００５、１００６）から構成される。ＢＭ−ＳＣ３００と無線基地局２００との間には、中間的な制御装置が配置されるようにしてもよい。
【００１６】
さらに、無線通信システムは、ＢＭ―ＳＣ３００が接続されるコアネットワーク５０に接続されるコンテンツプロバイダ(CP: Contents Provider)４００１、あるいは、他の網を介して接続されたコンテンツプロバイダ４００２から構成される。
【００１７】
無線基地局２００と複数の移動局１００との間では、無線基地局２００から移動局１００への片方向の無線チャネル、例えばＳＣＣＰＣＨ(Secondary Common Control Physical Channel)が定義され、この無線チャネル上でＭＢＭＳコンテンツが配信される。ＳＣＣＰＣＨは、一例であり、これに限定されるものではなく、他の無線チャネル上で伝送してもよい。
【００１８】
次に、本実施例にかかるＢＭ―ＳＣ３００について、図２を参照して説明する。
【００１９】
本実施例にかかるＢＭ―ＳＣ３００は、複数の受信源、例えば移動局に対してユーザ共通データ、例えばＭＢＭＳデータの配信を行う無線制御装置を備える。
【００２０】
無線制御装置は、制御部３０２と、制御部３０２と接続されたＭＢＭＳデータ蓄積部３０４、ＭＢＭＳデータ伝送部３０６および有線伝送部３１２と、ＭＢＭＳデータ伝送部３０６および有線伝送部３１２と接続されたイベント認識部３０８と、イベント認識部３０８および有線伝送部３１２と接続された伝送路設定部３１０とを備える。ＭＢＭＳデータ蓄積部３０４は有線伝送部３１２と接続され、ＭＢＭＳデータ伝送部３０６はＭＢＭＳデータ蓄積部３０４および有線伝送部３１２と接続される。
【００２１】
制御部３０２は、無線制御装置が具備する各機能エンティティに対し、制御を行い、装置全体の動作を司る。
【００２２】
有線伝送部３１２は、コンテンツプロバイダ４００から配信されたＭＢＭＳコンテンツを受信する機能、伝送路設定部３１０による伝送路設定後にＭＢＭＳコンテンツを配信する機能、伝送路設定用の制御信号を伝送する機能、例えばＧｍｂ  ｓｉｇｎａｌｉｎｇを備える。
【００２３】
ＭＢＭＳデータ伝送部３０６は、配信されたＭＢＭＳコンテンツをＭＢＭＳコンテンツ蓄積部３０４に一時的に（伝送路が設定される程度の時間）格納し、また格納されたＭＢＭＳコンテンツを伝送する機能を有する。
【００２４】
ＭＢＭＳデータ蓄積部３０４は、コンテンツプロバイダ４００から配信されたユーザ共通データ、例えばＭＢＭＳコンテンツを一時的に格納する機能を有する。
【００２５】
イベント発生認識部３０８は、コンテンツプロバイダ４００からＭＢＭＳコンテンツが配信されたことをトリガーとしてイベント発生を認識する機能を有する。
【００２６】
ここで、イベントについて説明する。
【００２７】
本実施例の想定するイベントは、配信パターンにより以下の様に分類される。
（１）予め規定されたタイミングで発生するイベント、すなわち限定されたタイミングで発生するイベント  例えば、週刊誌、隔週誌、月刊誌等
（２）突発的なタイミングで１回だけ発生するイベント、すなわち１回限りで発生するイベント  例えば、新製品の告知、新曲の配信、スポーツ中継、ライブ中継等
（３）突発的なタイミングで発生するイベント  例えば、気象情報（台風情報、雨情報）、災害情報（地震情報、津波情報）等
（４）ランダムなタイミングで発生するイベント  例えば、特売情報、渋滞情報、レジャー情報（ダイビング情報、釣り情報、ゴルフ情報等）、投資情報、ギャンブル情報（競馬の場合には、オッズ、馬体重、配当、パドック等）等
本実施例で説明した配信パターンは一例であり、これらの方法に限定されるものではなく、他の配信パターンであってもよい。
【００２８】
（１）に示されるイベントとしては、例えば、週刊誌などが挙げられる。このようなイベントでは、週の中で発売日が予め規定されており、毎週そのタイミングでイベントが発生する。しかし、発売日が休日（お盆、年末年始等も含む）の場合には、前後することがある。このような場合には、ランダムに発生するイベントになる。
【００２９】
（２）に示されるイベントとしては、例えば、ライブ中継の配信などが挙げられる。このようなイベントでは、何月何日何時と予め決められた日時に１回だけ配信サービスが行われる。
【００３０】
（１）、（２）に示されるようなイベントに対応するＭＢＭＳコンテンツは、ＭＢＭＳサービスに事前に加入しているユーザに対して、イベント発生と同時にマルチキャストされる。したがって、サービスに加入しているユーザが在圏しているエリアが、マルチキャスト配信されるサービスエリアとなる。
【００３１】
（３）に示されるイベントに対応するコンテンツとして、例えば気象情報や災害情報などが挙げられる。このようなコンテンツは、配信地域を限定してそのサービスエリアの中でブロードキャストした方が効果的である。
【００３２】
（４）に示されるイベントに対応するコンテンツには、例えば特売情報などが挙げられる。このようなコンテンツは、地域を限定してブロードキャスト配信した方が効果的である。また、レジャー情報、投資情報、ギャンブル情報などは、ＭＢＭＳサービスに興味があるユーザのみに配信するマルチキャストサービスが効果的である。すなわち、ＭＢＭＳサービスに興味があるユーザが在圏しているエリアが配信エリアとなる。投資情報、競馬情報などの変動要因のあるサービスは、１日に何度か不定期に更新される。また、レジャー情報は、その中でも地域を限定した方が効果的なコンテンツである。
【００３３】
また、イベント発生認識部３０８は、以下の方法によりイベントが発生したことを認識する。
【００３４】
（１）コンテンツプロバイダ４００からイベント発生の通知
コンテンツプロバイダ４００は、ＭＢＭＳコンテンツを配信する直前に、ＢＭ−ＳＣ３００に対して、イベントの発生を通知する。
【００３５】
（２）ＢＭ−ＳＣ３００で、コンテンツプロバイダ４００から配信された付加情報が付与されたＭＢＭＳコンテンツの受信
コンテンツプロバイダ４００は、配信するＭＢＭＳコンテンツに付加情報として、ＭＢＭＳコンテンツの種別を示すフラグを付加して配信する。このＭＢＭＳコンテンツを受信した場合に、イベント認識部３０８は、この付加情報を検出することでイベント発生を認識する。
【００３６】
（３）ＢＭ−ＳＣ３００で、コンテンツプロバイダ４００から配信されたＭＢＭＳコンテンツを解析
ＢＭ−ＳＣ３００は、コンテンツプロバイダ４００から配信されたＭＢＭＳコンテンツを受信すると、イベント認識部３０８において、ＭＢＭＳコンテンツの種別を解析することにより、イベント発生を認識する。
【００３７】
本実施例で説明した認識方法は一例であり、これらの方法に限定されるものではなく、他の認識方法であってもよい。
【００３８】
また、イベント認識部３０８は、図３に示すようなイベントとサービスの対応表を備え、該対応表に基づいて、サービスタイプ、サービスエリアを決定する。
【００３９】
このイベントとサービスの対応表には、イベントのタイプとして、イベント１からイベント４が定義され、イベント１としてウィークリーマガジン、イベント２として新曲配信、イベント３として津波情報、イベント４として投資情報および特売情報が対応付けられている。
【００４０】
また、サービスタイプおよびサービスエリアとして、ウィークリーマガジンに対してはマルチキャストおよびサービスに加入しているユーザが在圏しているエリア、新曲配信に対してはマルチキャストおよびサービスに加入しているユーザが在圏しているエリア、津波情報に対してはブロードキャストおよび限定された地域、投資情報に対してはマルチキャストおよびサービスに加入しているユーザが在圏しているエリア、特売情報に対してはブロードキャストおよび限定された地域が対応付けられている。図３に示される対応表は一例であり、この構成に限定されるものではない。
【００４１】
例えば、イベント認識部３０８は、イベント発生を認識すると、サービスタイプ、サービスエリアの決定を行う。上述したイベント認識方法にしたがって、例えば、コンテンツプロバイダ４００から配信されるＭＢＭＳコンテンツに付加情報としてイベント種別、あるいはコンテンツ種別を示すフラグを付与することで、イベント認識部３０８は、イベントタイプを認識し、サービスタイプ、サービスエリアの決定を行うことができる。
【００４２】
伝送路設定部３１０は、イベント発生をトリガーとして、該イベントのサービス対象エリアに基づいて、当該ＭＢＭＳコンテンツを配信する為の伝送路の設定を行なう機能を有する。
【００４３】
次に、本実施例にかかる無線制御装置の動作について、図４を参照して説明する。
【００４４】
コンテンツプロバイダ４００からＢＭ−ＳＣ３００に、ユーザ共通データ、例えばＭＢＭＳコンテンツが配信される。ＭＢＭＳデータ伝送部３０６は、配信されたＭＢＭＳコンテンツ蓄積部３０４にＭＢＭＳコンテンツを一時的に格納する。
【００４５】
次に、イベント認識部３０８は、イベントが発生したか否か確認する（ステップＳ３０２）。例えば、イベント認識部３０８は、コンテンツプロバイダ４００からＭＢＭＳコンテンツが配信されたことを示すイベントの発生を、上述した認識方法により認識する。但し、認識方法はこれに限定されるものではなく、これ以外の方法で認識しても良い。
【００４６】
イベントが発生した場合（ステップＳ３０２：ＹＥＳ）、イベント認識部３０８は、認識したイベントのサービスタイプを検出する（ステップＳ３０４）。例えば、イベント認識部３０８は、認識したイベントのサービスタイプが、マルチキャストサービスか或いは、ブロードキャストサービスかを判断する。一方、イベントが発生していない場合（ステップＳ３０２：ＮＯ）、終了する。
【００４７】
次に、イベント認識部３０８は、認識したイベントのサービス対象エリアを検出する。この場合、イベント検出部３０８は、マルチキャストサービスの場合にはサービス対象エリアが規定されているか否かを判断し、ブロードキャストサービスの場合にはサービスエリア対象エリアが限定されているか否かを判断する。
【００４８】
次に、伝送路設定部３１０は、ＭＢＭＳコンテンツを配信するため、サービス対象エリアに応じて伝送路の設定を行なう（ステップＳ３０８）。ここで、伝送路の設定は、発生したイベントに応じて、サービスに加入済みの移動局を限定する場合には、サービスに加入している移動局が在圏しているエリアをカバーする無線基地局までの伝送路を確保することである。また、サービスエリアを限定する場合には、当該イベントが指定するサービスエリアをカバーする無線基地局への伝送路を確保することである。
【００４９】
次に、伝送路の設定が完了したか否か確認する（ステップＳ３１０）。伝送路の設定が完了していない場合（ステップＳ３１０：ＮＯ）、ステップＳ３１０に遷移する。一方、伝送路の設定が完了している場合（ステップＳ３１０：ＹＥＳ）、ＭＢＭＳデータ伝送部３０６は、マルチキャスト或いはブロードキャストで、ＭＢＭＳデータ蓄積部３０４に蓄積されているＭＢＭＳコンテンツを配信する（ステップＳ３１２）。
【００５０】
以上、説明したように、本実施例では、コンテンツプロバイダからユーザ共通データ、例えばＭＢＭＳコンテンツが配信されたことをトリガーとして、ＭＢＭＳコンテンツを複数の受信源に配信する。このため、即時性の高いコンテンツの提供が可能となる効果が見込める。また、ランダムに配信されるコンテンツに対してもＭＢＭＳコンテンツを受信源に提供できる効果が見込める。
【産業上の利用可能性】
【００５１】
本発明にかかる無線制御装置およびデータ配信方法は、無線通信システムに適用できる。
【図面の簡単な説明】
【００５２】
【図１】本発明の一実施例にかかる無線通信システムを示す説明図である。
【図２】本発明の一実施例にかかる無線制御装置を示すブロック図である。
【図３】イベントとサービスの対応表の一例を示す説明図である。
【図４】本発明の一実施例にかかる無線制御装置の動作を示すフローチャートである。
【符号の説明】
【００５３】
１００、１００１、１００２、１００３、１００４、１００５、１００６  移動局(UE)
２００、２００１、２００２、２００３  無線基地局(Node-B)
３００  ＭＢ−ＳＣ（ブロードキャスト／マルチキャスト  サービス  センタ）
４００、４００１、４００２  コンテンツ  プロバイダ（ＣＰ）
【図１】
0004648137.tif 000002
【図２】
0004648137.tif 000003
【図３】
0004648137.tif 000004
【図４】
0004648137.tif 000005